【手続補正書】
【提出日】令和2年4月24日(2020.4.24)
【手続補正１】
【補正対象書類名】特許請求の範囲
【補正対象項目名】全文
【補正方法】変更
【補正の内容】
【特許請求の範囲】
【請求項１】
ロッキングスロットとして構成された少なくとも１個の長手方向に延びるキー溝（８０）を備えた円筒面（６０）を有するロール芯（５０）と、
エラストマ塗装又は層（１２２）を載せ、エラストマのグリップ面を画定する、弾力性がある裏張り（１２０）を組み入れた、少なくとも第一の交換可能な弾力性給紙カバーセクション（５２）と、
前記ロール芯（５０）の前記円筒面（６０）上に前記交換可能な弾力性給紙カバーセクション（５２）を取り付ける、および取り外し可能で固定するように、対応するロッキングスロットに取り外し可能に固定され、および係合するように構成された前記交換可能な弾力性給紙カバーセクションの両端（７０、７２）にある第一および第二のロッキング部品（７４、７６）とを含む、
改良されたエラストマでカバーされた給紙ロールアセンブリ（３２Ｒ）。
【請求項２】
前記ロール芯に、対応する複数の横並びの交換可能な弾力性給紙カバーセクション（５２、５４、５６）を取り付け、固定するために、前記ロール芯が複数の長手方向に間隔があけられ周方向にオフセットされたロッキングスロット（８０、８２、８４）を組み入れた、
請求項１に記載の、改良されたエラストマでカバーされた給紙ロールアセンブリ（３２Ｒ）。
【請求項３】
各交換可能な弾力性給紙カバーセクションが、両端（７０、７２）の間を延び、前記給紙カバーセクションの長さに沿い、取付けられたとき給紙ロールを取り囲む複数の給紙溝（１３０）を組み入れた、
請求項２に記載の、改良されたエラストマでカバーされた給紙ロールアセンブリ（３２Ｒ）。
【請求項４】
給紙カバー用の前記エラストマ塗装又は層（１２２）は、直接モールド成形、キャスト成形又はシートから切断され（そしてその後に接合される）、又は、ゴム硬度が２５から３５の範囲にあり、さらに望ましくは３０である（例えばニトリルゴムなどの）合成ゴムなどの丈夫なエラストマから作られた整形されたエラストマである、
請求項３に記載の、改良されたエラストマでカバーされた給紙ロールアセンブリ（３２Ｒ）。
【請求項５】
シート仕上げ機（１２）の給紙・プルロールセットの組合せ（３６）で使用される改良されたエラストマでカバーされた給紙ロールアセンブリ（３２Ｒ）であって、
長手方向に間隔を有し、周方向にオフセットされ、それぞれがロッキングスロットとして構成された複数の細長いキー溝（８０、８２、８４、８６）を備えた円筒面（６０）を有するロール芯（５０）と、
それぞれが弾力性がある裏張り又は基板（１２０）、およびエラストマの層又は塗装（１２２）を組み入れた複数の交換可能な弾力性給紙カバーセクション（５２、５４、５６）と、
前記交換可能な弾力性給紙カバーセクションの弾力性がある裏張り又は基板の両端（７０、７２）に第一および第二のロッキング部品（７４、７６）とを含み、
各交換可能な弾力性給紙カバーセクションの前記ロッキング部品は、各給紙カバーセクションをロール芯に取り外し可能で固定するために前記交換可能な弾力性給紙カバーセクションに対応するロッキングスロット（８０、８２、８４、８６）と係合し、
前記キー溝がそれぞれ、それに対応する交換可能な弾力性カバーセクションの両端（７０、７２）を引き入れてエンドジョイント（９６）を形成し、
前記キー溝は、前記交換可能な弾力性給紙カバーセクションが前記ロール芯に横並びに互いに当接して取り付けられるように前記ロール芯の長さに沿うピッチ（９０）で配置され、前記エンドジョイントが前記ロール芯の外周に間隔を有するように周方向にオフセット（９２）されて配置される、
改良されたエラストマでカバーされた給紙ロールアセンブリ。
【請求項６】
各交換可能な弾力性給紙カバーセクションが、それに対応するキー溝の長さ（９４）と実質的に等しい幅（Ｗ）と、前記ロール芯の周囲を取り囲むために十分な長さ（Ｌ）を有し、
前記弾力性がある裏張り又は基板が、薄いスチール（約０．０１８ミリインチ厚）、又はポリマーメッシュを非限定的に含む弾力性材料でできた細長い内側支持部材（１２０）を含み、
前記交換可能な弾力性給紙カバーセクションが、前記内側支持部材（１２０）の外面（１２４）上に薄いエラストマ塗装又は層（１２２）を組み入れた、
請求項５に記載の、改良されたエラストマでカバーされた給紙ロールアセンブリ（３２Ｒ）。
【請求項７】
エラストマ塗装で覆われたロール芯（５０）を有する給紙ロール（３２）を組み入れた仕上げ機（１２）の給紙・プルロールセット（３６）の刷新方法であって、
（ａ）機械から前記給紙ロール（３２）を取り除くステップと、
（ｂ）前記ロール芯からエラストマ塗装を剥ぎ取るステップと、
（ｃ）前記ロール芯の汚れを除くステップと、
（ｄ）長手方向に延び、周方向にオフセットした複数のロッキングキー溝（８０、８２、８４、８６）を前記ロール芯上に形成するステップと、
（ｅ）弾力性がある裏張り（１２０）、およびエラストマ塗装又は層（１２２）を有し、ロッキング機構（７４、７６）を各カバーの両端（７０、７２）に含む複数の交換可能な弾力性がある給紙カバーセクション（５２、５４、５６）を提供するステップと、
（ｆ）各カバーが対応するキー溝と係合し、給紙カバーを取り外し可能に横並びに互いに当接して前記ロール芯に固定する前記ロッキング機構により、前記交換可能な弾力性がある給紙カバーセクションを前記ロール芯に取り付けるステップと、
（ｇ）前記給紙カバーを有する刷新された前記給紙ロールを前記機械に再取付けするステップとを含み、
前記給紙ロールのその後の刷新作業は選択された取り外し可能交換可能な弾力性給紙カバーセクションの交換により達成され、実質的に連続的な改良された、又は刷新された「新品同様」の切れ目のない交換可能な弾力性がある給紙カバーセクションで画定されるエラストマグリップ面が提供される、
刷新方法。
【請求項８】
ステップ（ｆ）が、
前記交換可能な弾力性給紙カバーセクションそれぞれの両端（７０、７２）の前記ロッキング部品（７４、７６）をロックさせることにより、前記交換可能な弾力性給紙カバーセクションを前記ロール芯に取り外し可能で取り付けるステップを含み、
各交換可能な弾力性給紙カバーセクションの前記ロッキング部品は、前記交換可能な弾力性給紙カバーセクションに対応するロッキングスロット（８０、８２、８４、８６）と係合し、
前記キー溝がそれぞれ、対応する交換可能な弾力性給紙カバーセクションの前記両端（７０、７２）を引き入れてエンドジョイント（９６、９８、１００）を形成する、
請求項７に記載の刷新方法。
【請求項９】
（ｈ）改良されたエラストマでカバーされた給紙ロールアセンブリ３２Ｒの特定のセクション（例えば中央）にある１つ以上の交換可能な弾力性給紙カバーセクションのエラストマグリップ面に著しい摩耗を起こすために十分長い期間を有する動作インターバルだけ、給紙・プルロールセット（３６）を動作させるステップと、
（ｉ）過大な摩耗が生じた前記交換可能な弾力性給紙カバーセクションを識別するステップと、
（ｊ）識別された摩耗した交換可能な弾力性給紙カバーセクションを選択し、前記ロール芯５０からそれらの摩耗した交換可能な弾力性給紙カバーセクションを取り外すステップと、
（ｋ）選択された前記識別された摩耗した交換可能な弾力性給紙カバーセクションを、同数の新しい、弾力性給紙カバーセクション（例えば符号５２）の交換品と交換するステップと、
をさらに含む、請求項７に記載の刷新方法。
【請求項１０】
前記新しい交換可能な弾力性給紙カバーセクションの両端（７０、７２）の前記ロッキング部品（７４、７６）をロックさせることにより、前記新しい弾力性給紙カバーセクションの交換品を前記ロール芯に取り外し可能で取り付けるステップを含み、
各交換可能な弾力性給紙カバーセクションの前記ロッキング部品は、前記交換可能な弾力性給紙カバーセクションに対応するロッキングスロット（８０、８２、８４、８６）と係合し、
前記キー溝がそれぞれ、対応する交換可能な弾力性給紙カバーセクションの前記両端（７０、７２）を引き入れてエンドジョイント（９６、９８、１００）を形成する、
請求項９に記載の刷新方法。
【請求項１１】
各交換可能な弾力性給紙カバーセクションの前記ロッキング部品（７４、７６）が、第一端でスロット付きクランプバー２０２、および第二端でスロット付きクランプバー２０２と連係して第一および第二のボルト又はねじ式ファスナを受けるように構成されたクランプバー２０３を含み、
取り付けステップは、前記スロット付きクランプバー２０２、および前記クランプバー２０３を、前記交換可能な弾力性給紙カバーセクションに対応する前記ロール芯のロッキングスロット（８０、８２、８４、８６）内のねじ穴にねじ止めし、各給紙カバーセクションを前記ロール芯の表面に取り付け、取り外し可能に固定するステップを含み、
各キー溝はそれに対応するカバーセクションの両端（７０、７２）を一緒に引き入れてエンドジョイント（９６）を形成し、
前記キー溝は、選択された弾力性給紙カバーセクションの交換品が前記ロール芯に横並びに互いに当接して取り付けられるように前記ロール芯の長さに沿うピッチ（９０）で配置され、前記エンドジョイントが前記ロール芯の外周に間隔を有するように周方向にオフセット（９２）されて配置される、
請求項１０に記載の刷新方法。
【請求項１２】
改良されたエラストマでカバーされた給紙ロールアセンブリ（３２Ｒ）への取り外し可能な取り付け用に構成された交換可能な弾力性給紙カバーセクション（５２）であって、
（ａ）エラストマ塗装又は層（１２２）を載せ、エラストマのグリップ面を画定する、弾力性がある裏張り又は基板（１２０）と、
（ｂ）ロール芯（５０）の円筒面（６０）上に前記交換可能な弾力性給紙カバーセクション（５２）を取り付ける、および取り外し可能で固定するように、対応するロッキングスロットに取り外し可能に固定され、係合するようにそれぞれ構成された、弾力性がある裏張り又は基板の両端（７０、７２）に固定された第一および第二のロッキング部品（７４、７６）を含み、
（ｃ）前記エラストマのグリップ面は、改良されたエラストマでカバーされた給紙ロールアセンブリ（３２Ｒ）を提供するために、前記交換可能な弾力性給紙カバーセクションがロール芯（５０）に取り付けられ、および取り外し可能で固定されたとき、前記両端（７０、７２）の間を延び、前記給紙カバーセクションの長さに沿って、前記ロール芯（５０）を取り囲む複数の給紙溝（１３０）を組み入れる、
交換可能な弾力性給紙カバーセクション。
【請求項１３】
前記弾力性がある裏張り又は基板の両端（７０、７２）に固定された前記第一および第二のロッキング部品（７４、７６）が、複数のロッキングスロット（８０、８２、８４、８６）のうち、前記交換可能な弾力性給紙カバーセクションの選択された位置に対応して選択された１つと係合するように構成され、
キー溝が、対応する交換可能な弾力性給紙カバーセクションの前記両端（７０、７２）を一緒に引き入れてエンドジョイント（９６、９８、１００）を形成する、
請求項１２に記載の交換可能な弾力性給紙カバーセクション（５２）。
【請求項１４】
前記ロッキング部品（７４、７６）が、第一端でスロット付きクランプバー２０２、および第二端でクランプバー２０３を含み、
前記クランプバー２０３は、前記スロット付きクランプバー２０２と連係して第一および第二のボルト又はねじ式ファスナを受け、前記スロット付きクランプバー２０２、および前記クランプバー２０３を、前記交換可能な弾力性給紙カバーセクションに対応する前記ロール芯表面のロッキングスロット（８０、８２、８４、８６）内のねじ穴にねじ締めし、各給紙カバーセクションを前記ロール芯に取り付け、および取り外し可能で固定するように構成され、
各キー溝はそれに対応するカバーセクションの前記両端（７０、７２）を一緒に引き入れてエンドジョイント（９６）を形成し、
前記キー溝は、前記交換可能な弾力性給紙カバーセクションが前記ロール芯に横並びに互いに当接して取り付けられるように前記ロール芯の長さに沿うピッチ（９０）で配置され、前記エンドジョイントが前記ロール芯の外周に間隔を有するように周方向にオフセット（９２）されて配置される、
請求項１３に記載の交換可能な弾力性給紙カバーセクション（５２）。
【請求項１５】
給紙カバー用の前記エラストマ塗装又は層（１２２）は、直接モールド成形、キャスト成形（そしてその後接合）、又は、ゴム硬度が２５から３５の範囲にあり、さらに望ましくは３０である（例えばニトリルゴムなどの）整形されたゴムである、
請求項１２に記載の交換可能な弾力性給紙カバーセクション（５２）。